【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ＡＣ電源入力を受信し、第１の出力を提供するための第１の入力インターフェースであって、前記第１の出力が第２のＬＥＤドライバ回路に供給される前記第１の入力インターフェースと、
前記第１の出力によって電力供給される第１のＬＥＤドライバと、
前記第１の出力を短絡させるための第１の短絡素子と、
前記第１の短絡素子を制御するための第１の制御装置とを備える、
第１のＬＥＤドライバ回路であって、前記第１の制御装置は、
前記ＡＣ電源入力の半サイクルの第１のサブセットの間、前記ＡＣ電源入力を前記第２のＬＥＤドライバに渡し、前記第１のＬＥＤドライバが前記ＡＣ電源入力によって電力供給されることを防止するように、前記第１のＬＥＤドライバを短絡させるために、前記第１の短絡素子を閉じたままにし、
半サイクルの第２のサブセットの間、前記ＡＣ電源入力が前記第１のＬＥＤドライバに電力供給することを可能にするために、前記第１の短絡素子を開放したままにし、
前記半サイクルの第２のサブセットは、前記半サイクルの第１のサブセットと重ならず、
前記半サイクルが、前記ＡＣ電源入力の正の振幅期間又は負の振幅期間である、
第１のＬＥＤドライバ回路。
【請求項２】
前記第１の短絡素子と前記第１のＬＥＤドライバとの間の第１のバッファコンデンサと、
前記第１の短絡素子から前記第１のバッファコンデンサへの順方向の第１のブロッキングダイオードと、をさらに備える、
請求項１に記載の第１のＬＥＤドライバ回路。
【請求項３】
前記第１の制御装置が構成回路を備え、
前記構成回路は、前記ＡＣ電源入力の半サイクル１つおきに前記第１の短絡素子を閉じ、１つおきの半サイクルが前記サブセットであり、
前記構成回路は、前記ＡＣ電源入力の残りの半サイクルの間前記第１の短絡素子を開放し、前記残りの半サイクルが前記他のサブセットである、
請求項１に記載の第１のＬＥＤドライバ回路。
【請求項４】
前記構成回路は、前記第１の出力の電圧が、閾値よりも大きいかどうかを検出する検出回路を備え、前記構成回路が、前記検出に基づいて前記第１の短絡素子を閉じるか又は開放する、
請求項３に記載の第１のＬＥＤドライバ回路。
【請求項５】
前記構成回路は、第１の半サイクルにおいて検出される前記電圧が前記閾値を超えるとき、前記第１の半サイクルに続く第２の半サイクルにおいて前記第１の短絡素子を閉じ、
第３の半サイクルにおいて検出される前記電圧が前記閾値を越えないとき、前記第３の半サイクルに続く第４の半サイクルにおいて前記第１の短絡素子を開放する、
請求項４に記載の第１のＬＥＤドライバ回路。
【請求項６】
前記構成回路は、各半サイクルのタイミングを決定するために、前記ＡＣ電源入力における位相変化を検出するゼロ交差検出回路をさらに備える、
請求項５に記載の第１のＬＥＤドライバ回路。
【請求項７】
前記第１のＬＥＤドライバは、閉ループ電流源、又は閉ループ電力源である、
請求項１に記載の第１のＬＥＤドライバ回路。
【請求項８】
前記入力インターフェースは、フルブリッジ整流器を備える、
請求項１に記載の第１のＬＥＤドライバ回路。
【請求項９】
請求項１乃至８のいずれか一項に記載の第１のＬＥＤドライバ回路を備えるドライバシステムであって、前記ドライバシステムは第２のＬＥＤドライバ回路を更に備え、前記第２のＬＥＤドライバ回路は、
第２の出力を生成するための第２の入力インターフェースであって、前記第１の入力インターフェース及び前記第２の入力インターフェースが、前記ＡＣ電源入力を受信する１対のＡＣ電源入力端子の間に電気的に直列接続される、前記第２の入力インターフェースと、
前記第２の出力によって電力供給される第２のＬＥＤドライバと、
前記第２の出力を短絡させるための第２の短絡素子と、
前記第２の短絡素子を制御するための第２の制御装置とを備え、
前記第２の制御装置は、
前記第１の短絡素子が開放され、当該開放によって前記第１のＬＥＤドライバが前記ＡＣ電源入力によって電力供給される、前記ＡＣ電源入力の前記半サイクルの前記第２のサブセットの間、前記ＡＣ電源入力を前記第１のＬＥＤドライバ回路に渡すように、前記第２の短絡素子を閉じたままにし、
前記第１の短絡素子が閉じられ、閉じられることによって前記第２のＬＥＤドライバが前記ＡＣ電源入力によって電力供給される、前記ＡＣ電源入力の前記半サイクルの前記第１のサブセットの間、前記第２の短絡素子を開放したままにし、
前記半サイクルの第２のサブセットは、前記半サイクルの第１のサブセットと重ならない、
ドライバシステム。
【請求項１０】
前記ドライバシステムは、
前記第１の短絡素子が開放される半サイクルと、前記第２の短絡素子が開放される半サイクルとを交換し、
前記第１の短絡素子が閉じられる半サイクルと、前記第２の短絡素子が閉じられる半サイクルとを交換する、
請求項９に記載のドライバシステム。
【請求項１１】
前記第１のＬＥＤドライバ回路と前記第２のＬＥＤドライバ回路とは、同一のハードウェアを有する、
請求項１０に記載のドライバシステム。
【請求項１２】
請求項１乃至８のいずれか一項に記載の第１のＬＥＤドライバ回路と、第１のＬＥＤドライバによって駆動される第１のＬＥＤ装置とを含むか、又は、
請求項９乃至１１のいずれか一項に記載のドライバシステムと、前記第１のＬＥＤドライバによって駆動される前記第１のＬＥＤ装置と、前記第２のＬＥＤドライバによって駆動される第２のＬＥＤ装置とを含む、
照明システム。
【請求項１３】
前記第１のＬＥＤ装置は管状ＬＥＤを含むか、又は、前記第１のＬＥＤ装置及び前記第２のＬＥＤ装置それぞれが、それぞれの管状ＬＥＤを含む、
請求項１２に記載の照明システム。
【請求項１４】
第１の出力及び第２の出力を、それぞれ第１の入力インターフェース及び第２の入力インターフェースから提供するステップであって、前記第１の入力インターフェース及び前記第２の入力インターフェースが、ＡＣ電源入力を受信する１対のＡＣ電源入力端子の間に電気的に直列接続される、ステップと、
前記半サイクルの第１のサブセットにおいて前記第２の出力を使用して第２のＬＥＤドライバに電力供給するように、第１の短絡素子を閉じることによって、前記第１の出力を短絡させ、前記ＡＣ電源入力を前記第２の出力に渡し、且つ、第２の短絡素子を開放することによって、前記第２の出力を短絡させないステップと、
前記半サイクルの第２のサブセットにおいて前記第１の出力を使用して第１のＬＥＤドライバに電力供給するように、前記第１の短絡素子を開放することによって、前記第１の出力を短絡させず、且つ、前記第２の短絡素子を閉じることによって、前記第２の出力を短絡させ、前記ＡＣ電源入力を前記第１の出力に渡すステップとを含み、
前記半サイクルの第２のサブセットは、前記半サイクルの第１のサブセットと重ならない、
ＬＥＤ駆動方法。
【請求項１５】
前記第１及び第２のＬＥＤドライバは、閉ループ電流源又は閉ループ電力源をそれぞれ備え、前記ＬＥＤ駆動方法は、各出力について、
前記出力の電圧が、閾値より大きいかどうかを検出するステップと、
第１の半サイクルにおいて検出される電圧が前記閾値を超えるときに、前記第１の半サイクルに続く第２の半サイクルにおいてそれぞれの短絡素子を閉じることによって、前記出力を短絡させるステップと、
第３の半サイクルにおいて検出される電圧が前記閾値を越えないときに、前記第３の半サイクルに続く第４の半サイクルにおいてそれぞれの短絡素子を開放することによって、前記出力を短絡させないステップと、をさらに含む、
請求項１４に記載のＬＥＤ駆動方法。